(57)【要約】【構成】既設構造物の面の更生方法では、支保用パネル１０および非支保用パネル１２が用いられる。支保用パネル１０には、第１連結部１８と、第１連結部１８に接続可能な第２連結部２０と、支保用パネル１０を既設構造物８０に固定し、かつ支保工９６を所定高さに保持する支保工固定具９０が取り付けられる支保取付部５０とが設けられる。非支保用パネル１２には、第２連結部２０に接続可能な第３連結部４６と、第１連結部１８および第３連結部４６に接続可能な第４連結部４２と、非支保用パネル１２を既設構造物８０に固定するパネル固定具が取り付けられるパネル取付部５０を有する。【効果】裏込め材の充填による支保用パネル１０および非支保用パネル１２の浮き上がりが支保工９６により防止され、施工性に優れる。【選択図】図１２
2008266880.tif 000002
【特許請求の範囲】
【請求項１】
(a)  第１端および第２端を含み、かつ表面が平らな第１平面部と、支保工固定具を固定するための支保取付部と、前記第１端に形成される第１連結部と、前記第２端に形成される第２連結部とを有する支保用パネルを用意するステップ、
(b)  第３端および第４端を含み、かつ表面が平らな第２平面部と、前記第３端に形成され、かつ隣接する前記第２連結部と接続される第３連結部と、前記第４端に形成され、かつ隣接する前記第１連結部に接続される第４連結部とを有する非支保用パネルを用意するステップ、
(c)  前記支保取付部に取り付けられる支保工固定具で前記支保用パネルを既設構造物の面に間隔を隔てて固定するステップ、
(d)  前記第２連結部と前記第３連結部との接続、および前記第４連結部と前記第１連結部との接続で、前記非支保用パネルを前記支保用パネルで挟んで前記既設構造物の面に間隔を隔てて配置するステップ、
(e)  ２つの前記支保用パネルの間に支保工を渡し、前記支保工を前記支保工固定具で固定するステップ、
(f)  前記既設構造物の面と前記非支保用パネルとの間隔、および前記既設構造物の面と前記支保用パネルとの間隔に裏込め材を充填するステップ、および
(g)  前記支保工および前記支保工固定具を取り外すステップを含む、既設構造物の面の更生方法。
【請求項２】
前記ステップ(b)において、前記第３連結部を前記第４連結部に接続可能にし、
前記ステップ(d)において、複数の前記非支保用パネルを連結した連結体の両端にそれぞれ前記支保用パネルを連結した、請求項１記載の既設構造物の面の更生方法。
【請求項３】
前記ステップ(a)において、前記支保取付部を第１窪み部に設け、
(h) 前記ステップ(g)の後で前記第１窪み部にキャップを嵌めて前記第１窪み部を覆う、請求項１または２記載の既設構造物の面の更生方法。
【請求項４】
前記ステップ(b)において、前記第３端および前記第４端が互いに傾斜するパネルを前記非支保用パネルに用いた、請求項１ないし３のいずれかに記載の既設構造物の面の更生方法。
【請求項５】
(i) 請求項１ないし４のいずれかの前記支保用パネルおよび前記非支保用パネルの少なくともいずれか一方に装着されるアダプタであって、第１アダプタ端および第２アダプタ端を含み、かつ表面が平らなアダプタ平面部と、前記第１アダプタ端に形成され、前記第２連結部および前記第４連結部の少なくともいずれか一方に接続される第１アダプタ連結部と、前記第２アダプタ端に形成され、前記第１連結部および前記第３連結部の少なくともいずれか一方に接続される第２アダプタ連結部とを有し、前記第１アダプタ端と前記第２アダプタ端とが互いに傾斜するアダプタを用意するステップをさらに含み、
前記ステップ(c)において、前記第１連結部および前記第３連結部のいずれかに前記第２アダプタ連結部を接続して、前記支保用パネルおよび前記非支保用パネルのいずれかに前記アダプタを装着するステップをさらに含む、請求項１ないし４のいずれかに記載の既設構造物の面の更生方法。
【請求項６】
前記ステップ(i)において、前記第１アダプタ連結部と前記第２アダプタ連結部とを互いに接続可能とし、
(j)  前記第１アダプタ連結部に前記第２アダプタ連結部を嵌めて、複数の前記アダプタを連結し、複数の前記アダプタを前記支保用パネルおよび前記非支保用パネルのいずれかに装着するステップをさらに含む、請求項１ないし５のいずれかに記載の既設構造物の面の更生方法。
【請求項７】
既設構造物の面の更生方法に用いられる支保用パネルであって、
第１端および第２端を含み、かつ表面が平らな第１平面部、
前記第１平面部より窪む第１窪み部、
前記第１窪み部に設けられ、かつ支保工固定具を固定するための支保取付部、
前記第１端に形成される第１連結部、および
前記第２端に形成される第２連結部を備える、支保用パネル。
【請求項８】
前記第１窪み部から突出するパネル係止部、および
前記パネル係止部の先端に設けられる鉤部をさらに備える、請求項７記載の支保用パネル。
【請求項９】
平面部と、前記平面部の両端のそれぞれに設けられる第１パネル連結部および第２パネル連結部とを有するパネル部材に連結されるアダプタであって、
第１アダプタ端および第２アダプタ端を含み、かつ表面が平らなアダプタ平面部、
前記第１アダプタ端に形成され、前記第２パネル連結部に接続される第１アダプタ連結部、および
前記第２アダプタ端に形成され、前記第１連結部に接続される第２アダプタ連結部を備え、
前記第１アダプタ端と前記第２アダプタ端とが互いに傾斜する、アダプタ。
【発明の詳細な説明】
【技術分野】
【０００１】
この発明は、既設構造物の面の更生方法、支保用パネルおよびアダプタに関し、特にたとえば、既設構造物を取り壊すことなく、構造物の強度回復や表面補修を図る、既設構造物の面の更生方法、支保用パネルおよびアダプタに関する。
【背景技術】
【０００２】
従来の更生パネルを用いた更生方法の一例が、特許文献１および２に開示されている。
【０００３】
この特許文献１の水路内面のライニング工法では、既設の水路底面に固定部材を固定した後にモルタルを敷設し、その上にライニング板を載せて、ライニング板を固定部材にビス止めする。それから、水路側面に固定部材を介してライニング板を固定し、水路側面とライニング板との間にモルタルを注入し、ライニング板の突合せ部をシーリング材で止水している。
【０００４】
また、特許文献２の水路内周面の更生工法では、ライニング板を水路内面にボルトで固定し、帯状止水パッキンを挟みながらライニング板どうしを重ね合わせて水路内面を覆う。そして、ライニング板と水路内面との間にモルタルを充填し、凹部に充填性接着剤を充填してから、凹部を蓋体で覆っている。
【特許文献１】特開２００２−２９４６６５号公報［Ｂ０２Ｂ  ５／０２、Ｅ０３Ｆ  ５／０４］
【特許文献２】特開２００５−２９０８４７号公報［Ｂ０２Ｂ  ５／０２］
【発明の開示】
【発明が解決しようとする課題】
【０００５】
特許文献１の従来技術では、ビスがライニング板を貫通しているため、このビスを伝って水が既設水路側に浸入する恐れがあり、侵入すれば、更生水路の耐久性が低下してしまう。
【０００６】
また、特許文献２の従来技術では、ボルトが貫通する凹部を蓋体で覆うことにより、ボルト部の浸水を防止している。
【０００７】
しかし、ライニング板どうしを重ね合わせているだけだと、固定している間にライニング板がずれ易いため、施工性が悪い。
【０００８】
そして、水路内面全体をライニング板で覆ってからモルタルを充填すると、水路内面全体に均一にモルタルを充填するにはモルタルの注入力を高くする必要がある。よって、モルタルの注入力でライニング板が浮いてしまわないように抑えるため、工数がかかって、歩掛が高くなってしまう。
【０００９】
このライニング板の浮き上がりを防止するために充填材の充填回数を複数回に分けて、段階的に充填材をライニング板と開水路との間に充填することも考えられるが、これでは工期が長くなってしまう。
【００１０】
それゆえに、この発明の主たる目的は、耐久性および施工性に優れる、既設構造物の面の更生方法、支保用パネルおよびアダプタを提供することである。
【課題を解決するための手段】
【００１１】
請求項１の発明は、(a)第１端および第２端を含み、かつ表面が平らな第１平面部と、支保工固定具を固定するための支保取付部と、第１端に形成される第１連結部と、第２端に形成される第２連結部とを有する支保用パネルを用意するステップ、(b)第３端および第４端を含み、かつ表面が平らな第２平面部と、第３端に形成され、かつ隣接する第２連結部と接続される第３連結部と、第４端に形成され、かつ隣接する第１連結部に接続される第４連結部とを有する非支保用パネルを用意するステップ、(c)支保取付部に取り付けられる支保工固定具で支保用パネルを既設構造物の面に間隔を隔てて固定するステップ、(d)第２連結部と第３連結部との接続、および第４連結部と第１連結部との接続で、非支保用パネルを支保用パネルで挟んで既設構造物の面に間隔を隔てて配置するステップ、(e)２つの支保用パネルの間に支保工を渡し、支保工を支保工固定具で固定するステップ、(f)既設構造物の面と非支保用パネルとの間隔、および既設構造物の面と支保用パネルとの間隔に裏込め材を充填するステップ、および(g)支保工および支保工固定具を取り外すステップを含む、既設構造物の面の更生方法である。
【００１２】
請求項１の発明では、支保工固定具を支保取付部に取り付け、支保工固定具で支保用パネルを既設構造物の面に間隔を隔てて固定する。そして、この支保用パネルで非支保用パネルを連結して、非支保用パネルを既設構造物の面に間隔を隔てて配置する。これを繰り返して、既設構造物の面を支保用パネルおよび非支保用パネルで覆い、２つの支保用パネルの間に支保工を渡し、支保工を支保工固定具で固定する。これにより、支保工で支保用パネルおよび非支保用パネルが既設構造物の面から一定の高さで保持されるため、既設構造物の面と非支保用パネルとの間隔、および既設構造物の面と支保用パネルとの間隔に裏込め材を充填しても、支保用パネルおよび非支保用パネルが裏込め材によって浮き上がることが支保工で防止される。最後に、支保工および支保工固定具を外せば、支保用パネル、非支保用パネルおよび裏込め材で既設構造物の面が更生される。
【００１３】
このように、支保用パネルおよび非支保用パネルの上に支保工を掛け渡しておけば、裏込め材の圧力でこれらのパネルが浮き上がりそうになっても、これらのパネルは支保工で押さえつけられ、その高さより高くならない。このため、裏込め材の充填回数を増やす必要がなく、水路内面全体をパネルで覆ってから高い注入力で裏込め材を充填でき、しかも、これらのパネルの裏込め材による浮き上がりが防止される。
【００１４】
また、第１連結部と第４連結部との接続、および第２連結部と第３連結部との接続により、支保用パネルどうし、非支保用パネルどうし、または支保用パネルと非支保用パネルとを連結すると、これらのパネルを既設構造物の面に固定している間にこれらのパネルがずれないため、施工性に優れる。
【００１５】
そして、たとえば、支保工固定具を取り外した跡をキャップや充填材などで埋めると、更生後のパネル上を流れる水が既設水路側に浸入することがなく、更生された既設構造物の耐久性を維持できる。
【００１６】
請求項２の発明は、ステップ(b)において、第３連結部を第４連結部に接続可能にし、ステップ(d)において、複数の非支保用パネルを連結した連結体の両端にそれぞれ支保用パネルを連結した、請求項１記載の既設構造物の面の更生方法である。
【００１７】
請求項２の発明では、第３連結部を他の非支保用パネルの第４連結部に接続できれば、非支保用パネルどうしが連結できる。このため、複数の非支保用パネルを連結し、その連結体を２つの支保用パネルで挟んで連結すれば、複数の非支保用パネルに支保工を掛け渡せ、複数の非支保用パネルの裏込め材による浮き上がりを支保工で防止することができる。
【００１８】
請求項３の発明は、ステップ(a)において、支保取付部を第１窪み部に設け、(h) ステップ(g)の後で第１窪み部にキャップを嵌めて第１窪み部を覆う、請求項１または２記載の既設構造物の面の更生方法である。
【００１９】
請求項３の発明では、支保取付部を第１窪み部に設けることにより、支保工および支保工固定具を取り外した後に第１窪み部にキャップを嵌めると、第１窪み部がキャップで覆われる。よって、更生後のパネル上を流れる水が既設水路側に浸入することが防がれ、更生された既設構造物の耐久性を維持できる。
【００２０】
請求項４の発明は、ステップ(b)において、第３端および第４端が互いに傾斜するパネルを非支保用パネルに用いた、請求項１ないし３のいずれかに記載の既設構造物の面の更生方法である。
【００２１】
請求項４の発明では、非支保用パネルの第３端および第４端が互いに傾斜すると、この非支保用パネルに対して傾斜して支保用パネルおよび非支保用パネルが連結されるため、既設構造物の面の形状に合わせて湾曲した部分などをパネルで覆うことができる。
【００２２】
請求項５の発明は、(i) 請求項１ないし４のいずれかの支保用パネルおよび非支保用パネルの少なくともいずれか一方に装着されるアダプタであって、第１アダプタ端および第２アダプタ端を含み、かつ表面が平らなアダプタ平面部と、第１アダプタ端に形成され、第２連結部および第４連結部の少なくともいずれか一方に接続される第１アダプタ連結部と、第２アダプタ端に形成され、第１連結部および第３連結部の少なくともいずれか一方に接続される第２アダプタ連結部とを有し、第１アダプタ端と第２アダプタ端とが互いに傾斜するアダプタを用意するステップをさらに含み、ステップ(c)において、第１連結部および第３連結部のいずれかに第２アダプタ連結部を接続して、支保用パネルおよび非支保用パネルのいずれかにアダプタを装着するステップをさらに含む、請求項１ないし４のいずれかに記載の既設構造物の面の更生方法である。
【００２３】
請求項５の発明では、アダプタの第１アダプタ端と第２アダプタ端とが互いに傾斜することにより、このアダプタを支保用パネルまたは非支保用パネルに連結すると、このアダプタで支保用パネルおよび非支保用パネルが傾斜して連結されるため、既設構造物の面の形状に合わせて湾曲した部分などをパネルで覆うことができる。
【００２４】
請求項６の発明は、ステップ(i)において、第１アダプタ連結部と第２アダプタ連結部とを互いに接続可能とし、(j)  第１アダプタ連結部に第２アダプタ連結部を嵌めて、複数のアダプタを連結し、複数のアダプタを支保用パネルおよび非支保用パネルのいずれかに装着するステップをさらに含む、請求項１ないし５のいずれかに記載の既設構造物の面の更生方法である。
【００２５】
請求項６の発明では、第１アダプタ連結部と第２アダプタ連結部とを互いに接続可能にすれば、第１アダプタ連結部に第２アダプタ連結部を嵌めて、複数のアダプタを連結することができるため、連結されるアダプタの数によりアダプタの連結体の傾斜角度を調整することができる。
【００２６】
請求項７の発明は、既設構造物の面の更生方法に用いられる支保用パネルであって、第１端および第２端を含み、かつ表面が平らな第１平面部、第１平面部より窪む第１窪み部、第１窪み部に設けられ、かつ支保工固定具を固定するための支保取付部、第１端に形成される第１連結部、および第２端に形成される第２連結部を備える、支保用パネルである。
【００２７】
請求項７の発明では、支保取付部に取り付けた支保工固定具で支保用パネルが既設構造物の面に間隔を隔てて固定され、その支保工固定具に取り付けた支保工が２つの支保用パネルの間に掛け渡される。これにより、裏込め材によるパネルの浮き上がりが支保工で防がれ、しかも、支保用パネルが一定の高さに揃えられる。
【００２８】
また、第１連結部および第２連結部の接続により、支保用パネルどうし、または支保用パネルと非支保用パネルとが容易に連結され得る。
【００２９】
そして、第１窪み部をキャップや充填材などで埋めれば、既設水路側への水の浸入が防げ、更生された既設構造物の耐久性を維持できる。
【００３０】
請求項８の発明は、第１窪み部から突出するパネル係止部、およびパネル係止部の先端に設けられる鉤部をさらに備える、請求項７記載の支保用パネルである。
【００３１】
請求項８の発明では、第１窪み部の周りが裏込め材で覆われ、裏込め材が固化すると、第１窪み部は裏込め材で固定されるが、パネル係止部を第１窪み部から突出すると、パネル係止部は裏込め材の影響を受けないため、撓むことができる。このため、たとえば、第１窪み部をキャップなどで覆う際に、キャップにパネル係止部は撓みながらキャップのキャップ係止部などと係止できるため、容易にこれらを接合できる。
【００３２】
また、パネル係止部に先端に鉤部を設ければ、パネル係止部とキャップ係止部などとの係止を保持できる。
【００３３】
請求項９の発明は、平面部と、平面部の両端のそれぞれに設けられる第１パネル連結部および第２パネル連結部とを有するパネル部材に連結されるアダプタであって、第１アダプタ端および第２アダプタ端を含み、かつ表面が平らなアダプタ平面部、第１アダプタ端に形成され、第２パネル連結部に接続される第１アダプタ連結部、および第２アダプタ端に形成され、第１連結部に接続される第２アダプタ連結部を備え、第１アダプタ端と第２アダプタ端とが互いに傾斜する、アダプタである。
【００３４】
請求項９の発明では、第１アダプタ端と第２アダプタ端とが互いに傾斜するアダプタをパネル部材に連結すると、アダプタで傾斜してパネル部材が連結されるため、連結角度を調整することができる。
【発明の効果】
【００３５】
この発明によれば、支保取付部に取り付けた支保工固定具で支保用パネルを固定しながら、２つの支保用パネルの間に渡した支保工を支保工固定具で固定することにより、支保用パネルおよび非支保用パネルが一定の高さで保持され、耐久性および施工性に優れる。
【００３６】
この発明の上述の目的，その他の目的，特徴および利点は、図面を参照して行う以下の実施例の詳細な説明から一層明らかとなろう。
【発明を実施するための最良の形態】
【００３７】
この発明の一実施例である既設構造物の面の更生方法では、既設構造物が劣化したときにその構造物を取り壊すことなく、その外面、内面および底面などの面を図１に示す支保用パネル１０および図６に示す非支保用パネル１２で覆うことにより、既設構造物の面を更生し、構造物の延命化を図る。ここで、既設構造物としては、農業用あるいは排下水用の開水路、下水暗渠、下水処理場の沈殿池あるいは貯水槽、上水施設の貯水池あるいは配水池、ビルピットまたは雨水貯留槽、ビル外壁、高速道路の遮音壁などが挙げられる。
【００３８】
図１に示すように、図２および図３に示す支保用パネル１０は、図４および図５に示すキャップ１４と共に用いられる。
【００３９】
図１〜図３に示すように、支保用パネル１０は、塩化ビニル樹脂やポリオレフィン樹脂などの合成樹脂で形成され、矩形状の板状体であって、第１平面部１６、第１連結部１８、第２連結部２０、第１窪み部２２および第２窪み部２４を備える。
【００４０】
第１平面部１６は、互いに平行に延びる第１端２６および第２端２８を含み、また、平らな第１面３０とそれに対向する第２面３２とを含む。
【００４１】
第１面３０は更生された構造物の表面を形成し、第１面３０の表面はアクリル樹脂など耐候性を有する樹脂層３４で覆われる。第２面３２は既設構造物の表面と対向してこれを覆い、第２面３２に第１係合部３６および複数の突起部３８が間隔を隔てて設けられる。
【００４２】
第１係合部３６は、支保用パネル１０と支保用パネル１０または非支保用パネル１２とを接続した際にこれらを固定するために、第２係合部および／または第４係合部と係合する部分である。また、第１係合部３６は、第２面３２からほぼ直角に突出し、その先が曲がって形成され、第１端２６に平行に支保用パネル１０の全長に亘って設けられる。
【００４３】
突起部３８は、既設構造物の面と第２面３２との間に裏込め材を充填した際に裏込め材に嵌まって投錨効果を示す部分であって、第１端２６に平行に支保用パネル１０の全長に亘って設けられる。
【００４４】
第１連結部１８は、第１端２６と隣接する支保用パネル１０の第２端２８または非支保用パネル１２の第４端４４とを接続するための部分であって、第１端２６に設けられる。第１連結部１８は、第２連結部２０および／または第４連結部４２を受けるように第１平面部１６とそれに平行で水平方向に延びる部分とでコの字状の断面形状に形成される。
【００４５】
第２連結部２０は、第２端２８と隣接する支保用パネル１０の第１端２６または非支保用パネル１２の第３端４０とを接続するための部分であって、第２端２８に設けられる。第２連結部２０は、第１平面部１６に平行で水平方向に延びる突起状で形成され、第１連結部１８および／または第３連結部４６に水平方向に嵌められる。第２連結部２０の上面にたとえば、２つのリップ４８が設けられる。リップ４８は、水の浸入を防止するための止水材であって、薄い板状体で、互いに向かい合うように取り付けられる。第２連結部２０のリップ４８は、第２端２８と隣接する第１端２６または第３端４０とを接続した際にこれらの間を止水する止水部である。
【００４６】
第１窪み部２２は第２面３２より窪む部分であって、第１端２６と第２端２８との間に設けられ、支保用パネル１０の全長に亘る連続物で形成される。第１窪み部２２に支保取付部５０、パネル係止部５２およびパネル接合部５４が設けられる。
【００４７】
支保取付部５０は、支保工固定具が取り付けられる貫通孔などであって、第１窪み部２２の底に設けられる。複数、この実施例では５つの貫通孔が第１端２６と平行な方向に間隔を隔てて設けられ、貫通孔の内径は、支保工固定具を通すことができる径に設定され、各貫通孔のピッチは、支保工固定具で支保用パネル１０を既設構造物の面に固定することができるように設定される。
【００４８】
パネル接合部５４は、支保用パネル１０にキャップ１４を接続するための突起状部分などであって、第１窪み部２２の側面に設けられ、第１端２６側から第２端２８側に向かって水平またはほぼ水平に突出し、支保用パネル１０の全長に亘って設けられる。また、パネル接合部５４の表面にリップ４８が形成される。このリップ４８は、キャップ１４を第１窪み部２２に嵌めた際にキャップ１４とパネル接合部５４との間に挟まり、キャップ１４と支保用パネル１０との間の隙間を埋めてそこから水が浸入するのを防ぐ止水材である。
【００４９】
パネル係止部５２は、第１窪み部２２から突出し、その先端に鉤部５６が設けられる。たとえば、第１窪み部２２の底から立ち上がってパネル係止部５２が形成され、パネル係止部５２の先端が曲がって鉤部５６が形成される。鉤部５６は、パネル係止部５２とキャップ係止部５８とを係止させる部分である。
【００５０】
第２窪み部２４は第２面３２より窪む部分であって、第２端２８に設けられる。また、第２窪み部２４は支保用パネル１０の全長に亘る連続物で、非支保用パネル１２の第３窪み部６０と同様の形状に形成され、その端に第２係合部６２を含む。
【００５１】
第２係合部６２は、第１係合部３６および／または第３係合部６４と係合し、互いに係わり合うことにより支保用パネル１０に連結された支保用パネル１０または非支保用パネル１２が外れるのを防止する部分であり、第２窪み部２４の端部が屈曲して形成される。
【００５２】
図４および図５に示すキャップ１４は、支保用パネル１０および非支保用パネル１２を連結し、裏込め材を充填した後で第１窪み部２２に嵌められて第１窪み部２２を覆う部材であって、塩化ビニル樹脂やポリオレフィン樹脂などの合成樹脂で形成される矩形状の板状体である。キャップ１４の長手方向の長さは、支保用パネル１０の第１端２６と等しく設定され、また、短い方の長さは、第１窪み部２２の幅に相当し、第１窪み部２２の全体を覆うように設定される。
【００５３】
キャップ１４の表面はアクリル樹脂など耐候性を有する樹脂層６６で覆われ、樹脂層６６は２層押出成形により一体的に形成される。また、キャップ１４の上面は、平らであって、キャップ１４が第１窪み部２２を覆った際に支保用パネル１０の第１面３０と面一になって、更生パネルの表面を形成する。
【００５４】
キャップ１４の裏面にキャップ接合部６８、キャップ係止部５８、空隙充填部７０および止水テープが設けられる。キャップ接合部６８は、キャップ１４を支保用パネル１０に接続するためにパネル接合部５４に接合される部分であって、パネル接合部５４を受けるようにキャップ１４の本体とそれに平行で水平方向に延びる部分とでコの字状の断面形状に形成され、キャップ１４の長手方向の全長に亘って設けられる。
【００５５】
キャップ係止部５８は、接続されたキャップ１４および支保用パネル１０を固定するために、パネル係止部５２と係止する部分であって、キャップ１４の裏面から立ち上がり、その先が曲がって形成される。
【００５６】
空隙充填部７０は、キャップ１４で第１窪み部２２を覆った際に、これらにより形成される空隙を充填する部分であって、キャップ接合部６８とキャップ係止部５８との間に設けられる。空隙充填部７０は、キャップ１４の本体と一体的に塩化ビニル樹脂やポリオレフィン樹脂などの合成樹脂で形成され、内部に穴が設けられる。そして、キャップ１４を支保用パネル１０に装着した際に、空隙充填部７０の下面が第１窪み部２２の底面に近くなるほど、空隙充填部７０がキャップ１４を支持する力が大きくなり、更生された面の強度が向上するため、空隙充填部７０の高さは、支保用パネル１０に装着したキャップ１４の空隙充填部７０の下面と第１窪み部２２の底面との隙間がないまたは小さくなるように設定される。
【００５７】
止水テープ７１は、キャップ１４の端に設けられ、キャップ１４と支保用パネル１０との間を止水する止水材として用いられる。
【００５８】
図６および図７に示す非支保用パネル１２は、塩化ビニル樹脂やポリオレフィン樹脂などの合成樹脂で形成され、矩形状の板状体であって、第２平面部７２、第３連結部４６、第４連結部４２および第３窪み部６０を備える。
【００５９】
第２平面部７２は、矩形状の板状体であって、互いに平行に延びる第３端４０および第４端４４を含み、平らな第３面７４とそれに対向する第４面７６とを含む。第３端４０の長さは、第１端２６の長さと同じに設定される。
【００６０】
第３面７４は第１面３０と同様であって、耐候性樹脂層３４で覆われる。また、第４面７６は第２面３２と同様であって、第４面７６に第３係合部６４および複数の突起部３８が間隔を隔てて設けられる。
【００６１】
第３係合部６４は、第１係合部３６と同様であって、第２係合部６２および／または第４係合部７８と係合する部分であり、第４面７６から立ち上がりその先が屈曲して形成される。
【００６２】
突起部３８は、支保用パネル１０の突起部３８と同様で、裏込め材に対し投錨効果を示す部分である。
【００６３】
第３連結部４６は、第１連結部１８と同様で、第３端４０と隣接する支保用パネル１０の第２端２８または非支保用パネル１２の第４端４４とを連結するために、第２連結部２０および／または第４連結部４２と接続される部分であり、第３端４０に設けられる。
【００６４】
第４連結部４２は、第２連結部２０と同様であり、第４端４４と隣接する支保用パネル１０の第１端２６または非支保用パネル１２の第３端４０とを連結するように、隣接する第１連結部１８および／または第３連結部４６に接続される部分であって、第４端４４に設けられる。第４連結部４２の上面にリップ４８が取り付けられ、このリップ４８は第４端４４と隣接する端２６、４０との間を止水する止水材である。
【００６５】
第３窪み部６０は、第２窪み部２４と同様の形状であって、第３面７４より窪む部分で、第４端４４に設けられ、非支保用パネル１２の全長に亘る連続物で形成される。第３窪み部６０の底にパネル取付部が設けられ、パネル取付部６１はパネル固定具が取り付け可能な貫通孔などであって、貫通孔の内径はパネル固定具を通すことができる径に設定される。第３窪み部６０の深さは、パネル取付部６１に取り付けられたパネル固定具の頭部などを隣接する支保用パネル１０または非支保用パネル１２で覆うことができる深さに設定される。また、第３窪み部６０は、その端に第４係合部７８を含む。
【００６６】
第４係合部７８は、第２係合部６２と同様で、第１係合部３６および／または第３係合部６４と係合し、非支保用パネル１２に連結された支保用パネル１０または非支保用パネル１２が外れるのを防止する部分であり、第３窪み部６０の端部が屈曲して形成される。
【００６７】
このような支保用パネル１０および非支保用パネル１２などを既設構造物の面の更生方法に用い、たとえば図８に示す開水路８０の内面、つまり底面および側面を更生する場合、まず、開水路８０の施工部分より上流側にコンクリートパネルなどで水を予め堰き止めて、水中ポンプなどにより堰き止められた水を施工部分より下流側に放流する。そして、開水路８０の内面の泥などを高圧洗浄機などで除去し、特に突き出た部分をディスクサンダーなどで除去する。
【００６８】
次に、図９に示すように、非支保用パネル１２、パネル固定具８２およびスペーサ８４を用意する。
【００６９】
図１０に示すスペーサ８４は、支保用パネル１０および非支保用パネル１２と既設構造物の面との間に裏込め材を充填するための空間を確保するものであって、ゴムなどによって略直方体に形成され、中空部８６および開口部８８を有する。そして、開口部８８を介して中空部８６に支保工固定具やパネル固定具８２を挿入すると、スペーサ８４は、第１窪み部２２や第３窪み部６０と既設構造物の面との間に挿入される。なお、スペーサ８４の厚みは、連結される支保用パネル１０および非支保用パネル１２の上面どうしが水平になるように設定される。また、スペーサ８４の形状はこれに限定されず、適宜な形状のスペーサ８４を用いることができる。
【００７０】
図９に示すパネル固定具８２は、開水路８０の内面に非支保用パネル１２を固定するためのボルトなどである。
【００７１】
そして、図８および図９に示すように、第４面７６を開水路８０の底面側に向け、第３端４０が開水路８０の長手方向に対して直角になるようにして、非支保用パネル１２を開水路８０の底面に配置し、パネル固定具８２をパネル取付部６１に挿入し、開水路８０の底面に打ち込む。この際、スペーサ８４をパネル固定具８２に適宜取り付け、これにより、非支保用パネル１２を開水路８０の底面と間隔を隔てて固定する。
【００７２】
次に、図９および図１１に示すように、固定された非支保用パネル１２の第４端４４側に別の非支保用パネル１２を配置し、この後の非支保用パネル１２をパネル固定具８２で開水路８０に固定せずに、後の非支保用パネル１２を傾けた状態で、後の第３連結部４６を先の第４連結部４２に嵌め、第３端４０を支点として後の非支保用パネル１２を押し下げる。これにより、後の第３係合部６４が先の第３窪み部６０の中に入り、後の第３係合部６４は先の第４係合部７８と係合し、隣り合う非支保用パネル１２どうしが連結されて、これらは開水路８０の底面と間隔を隔てて配置される。
【００７３】
このように複数の非支保用パネル１２を連結してから、支保用パネル１０を用意し、非支保用パネル１２の連結体に支保用パネル１０を隣接させて、連結体の第３連結部４６に第２連結部２０を嵌め、かつ第３係合部６４に第２係合部６２を係合させて、連結体の一端に支保用パネル１０を連結する。また、連結体に別の支保用パネル１０を隣接させて、連結体の第４連結部４２に第１連結部１８を嵌め、かつ第４係合部７８に第１係合部３６を係合させて、連結体の他端に別の支保用パネル１０を連結する。これにより、複数の非支保用パネル１２を連結した連結体の両端にそれぞれ支保用パネル１０を連結し、非支保用パネル１２の連結体が２つの支保用パネル１０で挟まれる。
【００７４】
そして、図１２および図１３に示すように、支保用パネル１０を支保工固定具９０で開水路８０に固定する。この支保工固定具９０は、支保工を一定の高さに支え固定するものであって、パイプクランプなどが用いられ、支保取付部５０に挿入されて支保取付部５０に取り付けられる。
【００７５】
つまり、開水路８０の底面および側面に予め打ち込んでおいたアンカ９２に支保工固定具９０を螺合し、支保工固定具９０を開水路８０に固定し、支保工固定具９０を支保取付部５０に取り付ける。そして、スペーサ８４を支保工固定具９０に適宜取り付ければ、支保取付部５０に取り付けられる支保工固定具９０で支保用パネル１０が開水路８０の内面に間隔を隔てて固定される。
【００７６】
このような連結を繰り返して、開水路８０の底面を支保用パネル１０および非支保用パネル１２で覆い、これと同様の方法で開水路８０の側面も支保用パネル１０および非支保用パネル１２で覆う。また、開水路８０の底面を覆うパネル１０、１２と開水路８０の側面を覆うパネル１０、１２との間には図１４に示すハンチ部材９４を取り付ける。ハンチ部材９４は、非支保用パネル１２と同様のものであるが、非支保用パネル１２の第３端４０に直交する端面の角度が異なり、４５度に傾斜する。これ以外の部分に関しては非支保用パネル１２と同様であるため、説明は省略する。
【００７７】
それから、図１２、図１３および図１５に示すように、支保工固定具９０に支保工９６を取り付ける。支保工９６は、支保工固定具９０により開水路８０の内面から所定の高さに保持されて、支保用パネル１０が所定の高さより上に浮き上がらないように押さえとめる長尺部材などであって、たとえば丸棒などの棒鋼、あるいは丸パイプや角パイプなどの鋼管が用いられる。
【００７８】
この支保工９６が、用途に合わせて開水路８０の内面に対して平行にまたは一定の勾配になるように、支保工９６の高さを調整し、支保工９６を支保工固定具９０に取り付け、２つの支保用パネル１０の間に支保工９６を架けると、非支保用パネル１２の連結体をまたいでこれらの表面上に支保工９６が渡る。
【００７９】
このように支保用パネル１０および非支保用パネル１２を開水路８０の内面から所定の高さに支保工９６で保持し、パネル１０、１２が所定の高さより浮き上がらないようにした状態で、連結されたパネル１０、１２と開水路８０の内面との間隔に裏込め材９８を充填し、全体に裏込め材９８が満たされると養生する。このとき、裏込め材９８の充填圧などによりパネル１０、１２に浮き上がる方向の力が作用しても、パネル固定具８２および支保工９６でパネル１０、１２が浮き上がる方向への動きは抑えられているため、パネル１０、１２は所定の高さに保持され、連結されるパネル１０、１２の表面の高さは揃えられる。そして、裏込め材９８がある程度に固化すると、図１６に示すように、支保工９６を支保工固定具９０から取り外し、さらに支保工固定具９０を開水路８０から取り外す。ただし、支保工固定具９０のアンカ９２だけは開水路８０に残してもよい。
【００８０】
そして、図１７に示すように、キャップ１４を斜めに傾けてキャップ接合部６８をパネル接合部５４に嵌め、次にこの部分を支点としてキャップ１４を押し下げて、キャップ係止部５８をパネル係止部５２にかける。このように、てこの原理を利用すれば、簡単な操作かつ小さな力でキャップ接合部６８にパネル接合部５４を接合し、かつキャップ係止部５８にパネル係止部５２を係止させて、キャップ１４を支保用パネル１０に装着し、キャップ１４で第１窪み部２２を覆うことができる。これにより、第１面３０はキャップ１４の表面と面一になり揃い、図１４および図１７に示すように、開水路８０の底面および側面が支保用パネル１０および非支保用パネル１２で更生された構造物が完成する。
【００８１】
このように、支保用パネル１０および非支保用パネル１２の上に支保工９６を掛け渡しておけば、裏込め材９８の圧力でこれらのパネル１０、１２が所定の高さより浮き上がりそうになっても、これらのパネル１０、１２は支保工９６で押さえつけられ、その高さより高くならない。このため、裏込め材９８の充填回数を増やす必要がなく、開水路８０の内面全体をパネル１０、１２で覆ってから高い注入力で裏込め材９８を充填でき、しかも、これらのパネル１０、１２の裏込め材９８による浮き上がりが防止される。
【００８２】
そして、支保工９６で非支保用パネル１２を押さえておけば、全ての非支保用パネル１２を開水路８０の内面に固定する必要がなく、パネル固定具８２の取付作業を省け、施工性に優れる。
【００８３】
しかも、支保工９６により支保用パネル１０および非支保用パネル１２は一定の高さに保持され、更生された開水路８０の内面の高さは揃えられる。そして、開水路８０などの場合、更生された表面が面一になれば、その上を流れる水が乱されず、その水の流速および流量を十分に確保できる。
【００８４】
また、支保取付部５０を第１窪み部２２に設けることにより、支保工９６および支保工固定具９０を取り外した後に第１窪み部２２をキャップ１４で覆えば、支保工固定具９０を取り外した跡をキャップ１４で埋め、更生後のパネル上を流れる水が開水路８０側に浸入することが防がれ、更生された開水路８０の耐久性を維持できる。
【００８５】
そして、連結部２０、４２やパネル接合部５４に止水材としてリップ４８を設け、キャップ１４の端の裏面に止水材として止水テープ７１を設けると、パネル１０、１２およびキャップ１４の連結と同時に、これらの間が止水材で止水されるため、別途止水処理をする必要がなく、さらに省力化が図れる。
【００８６】
さらに、第３連結部４６を第１連結部１８と同様にし、第４連結部４２を第２連結部２０と同様に形成することにより、非支保用パネル１２は非支保用パネル１２だけでなく、支保用パネル１０にも連結できる。このため、非支保用パネル１２どうしが連結し、複数の非支保用パネル１２を連結した連結体を２つの支保用パネル１０で挟んで連結すれば、複数の非支保用パネル１２に支保工９６を掛け渡せ、一度にこれらの非支保用パネル１２の裏込め材９８による浮き上がりを支保工９６で防止することができる。
【００８７】
そして、連結部１８、２０、４６、４２の接続により、支保用パネル１０どうし、非支保用パネル１２どうし、または支保用パネル１０と非支保用パネル１２とを連結すると、これらのパネル１０、１２を開水路８０の内面に固定している間にこれらのパネル１０、１２がずれないため、パネル１０、１２を固定し易く、施工性に優れる。
【００８８】
また、パネル係止部５２が第１窪み部２２の底から立ち上がることにより、第１窪み部２２の周りが裏込め材９８で覆われ、裏込め材９８が固化し、第１窪み部２２が裏込め材９８で固定されても、パネル係止部５２は裏込め材９８の影響を受けずに撓む。このため、第１窪み部２２をキャップ１４などで覆う際に、パネル係止部５２は撓みながらキャップ係止部５８と係止できるため、容易にこれらを接合できる。
【００８９】
なお、上記実施例では、空隙充填部７０をキャップ１４の本体と一体的に合成樹脂で形成したが、キャップ１４および第１窪み部２２で形成される空隙を埋めるものであれば、これに限定されず、発泡スチロールなどで形成することもできる。また、空隙充填部７０の内部に穴を設けたが、設けなくてもよい。
【００９０】
また、上記実施例では、テープ状の止水テープ７１を用いたが、これをリップで形成することもできる。そして、この止水テープ７１をキャップ１４に設けたが、支保用パネル１０に設けることもできる。
【００９１】
図１８に示すこの発明の別の実施例である既設構造物の面の更生方法に用いられる支保用パネル１０は、図１に示す支保用パネル１０とほぼ同じであるが、パネル接合部１００およびパネル係止部１０２の形状が異なる。これ以外の部分に関しては図１実施例の示す支保用パネル１０と同様であるため、共通する部分については同じ番号を付して、その説明は省略する。
【００９２】
図１９に示すパネル接合部１００およびパネル係止部１０２は、第１窪み部２２の底から立ち上がり、パネル接合部１００およびパネル係止部１０２の先端に鉤部１００ａ、１０２ａが設けられ、パネル接合部１００の鉤部１００ａとパネル係止部１０２の鉤部１０２ａとは、互いに反対方向に曲がる。
【００９３】
図２０に示すキャップ接合部１０４およびキャップ係止部１０６は、キャップ１４の裏面から立ち上がり、その先が曲がってそれぞれ鉤部１０４ａ、１０６ａが形成される。
【００９４】
空隙充填部１０８は、発泡塩化ビニル樹脂などで形成され、その高さは、キャップ１４を支保用パネル１０に装着した際に空隙充填部１０８の下面と第１窪み部２２の底面との間の隙間がないまたは小さく設定される。
【００９５】
また、キャップ１４の両端のそれぞれの裏面に止水材として止水テープ１１０が設けられ、止水テープ１１０は、キャップ１４と支保用パネル１０との間を止水する。
【００９６】
このように、パネル接合部１００およびパネル係止部１０２が第１窪み部２２の底から立ち上がることにより、第１窪み部２２の周囲を覆う裏込め材９８が固化し、第１窪み部２２が裏込め材９８で固定されても、パネル接合部１００およびパネル係止部１０２は撓むため、パネル接合部１００およびパネル係止部１０２は撓みながらキャップ接合部１０４およびキャップ係止部１０６と容易に接合できる。
【００９７】
図２１に示すこの発明の別の実施例である既設構造物の面の更生方法に用いられる支保用パネル１０は、図１および図１８に示す支保用パネル１０とほぼ同じであるが、パネル接合部およびパネル係止部の形状が異なる。これ以外の部分に関しては図１および図１８実施例の示す支保用パネル１０と同様であるため、共通する部分については同じ番号を付して、その説明は省略する。
【００９８】
パネル接合部１０７ａおよびパネル係止部１０７ｂは、第１窪み部２２の側面から突出し、上下方向に撓むことができる。
【００９９】
キャップ接合部１０９ａおよびキャップ係止部１０９ｂは、キャップ１４の裏面から立ち上がり、その先が曲がってそれぞれ鉤部１０９ａａ、１０９ｂｂが形成される。
【０１００】
このパネル接合部１０７ａおよびパネル係止部１０７ｂが第１窪み部２２から突出すれば、第１窪み部２２の周囲を覆う裏込め材９８が固化した後であっても、パネル接合部１０７ａおよびパネル係止部１０７ｂが撓んでキャップ接合部１０９ａおよびキャップ係止部１０９ｂに容易に接合される。
【０１０１】
なお、上記図１８および図２１の実施例では、空隙充填部１０８を、発泡スチロールなどで形成したが、キャップ１４および第１窪み部２２で形成される空隙を埋めるものであれば、これに限定されず、キャップ１４の本体と一体的に合成樹脂で形成することもできる。
【０１０２】
また、上記図１８および図２１の実施例では、テープ状の止水テープ１１０を用いたが、これをリップで形成することもできる。そして、この止水テープ１１０をキャップ１４に設けたが、支保用パネル１０に設けることもできる。
【０１０３】
なお、上記全ての実施例では、非支保用パネル１２を矩形状の板状体で形成したが、非支保用パネルの形状はこれに限定されず、既設構造物の面形状に合わせて適宜決められ、非支保用パネルに、たとえば特願２００５−２２０５７９の湾曲壁面用更生パネル部材を用いることもできる。図２２に示す非支保用パネル１１２は、第３端４０および第４端４４が互いに傾斜し、第３連結部４６の幅が第３端４０に沿って変化し、かつ第３係合部６４がないことを除けば、この非支保用パネル１１２は図６および図７の非支保用パネル１２と同様のものであるため、共通する部分の説明は省略する。
【０１０４】
このような非支保用パネル１１２の第３端４０および第４端４４が互いに傾斜すると、図２３に示すように、この非支保用パネル１１２に対して傾斜して支保用パネル１０および非支保用パネル１１２、１２が連結されるため、既設構造物の面の形状に合わせて湾曲した部分などをパネルで覆うことができる。
【０１０５】
なお、非支保用パネルに、台形状の非支保用パネル１１２だけを用いることもできるし、矩形状の非支保用パネル１２と非支保用パネル１１２とを同時に用いることもできる。
【０１０６】
図２４および図２５に示すこの発明のさらに別の実施例である既設構造物の面の更生方法に用いられるアダプタ１１４は、パネル部材に連結される接続部材である。ここで、パネル部材は、平面部と、平面部の両端のそれぞれに設けられる第１パネル連結部および第２パネル連結部とを有する。このパネル部材としては支保用パネル１０および非支保用パネル１２が挙げられ、平面部は第１平面部１６および第２平面部７２を含み、第１パネル連結部は第１連結部１８および第３連結部４６を含み、第２パネル連結部は第２連結部２０および第４連結部４２を含む。
【０１０７】
アダプタ１１４は、塩化ビニル樹脂やポリオレフィン樹脂などの合成樹脂で形成され、アダプタ平面部１１６、第１アダプタ連結部１１８および第２アダプタ連結部１２０を備える。
【０１０８】
アダプタ平面部１１６は、第１アダプタ端１２２および第２アダプタ端１２４を含み、第１アダプタ端１２２と第２アダプタ端１２４とが互いに所定の角度で傾斜する台形状の板状体で形成される。第１アダプタ端１２２の長さは第１端２６および第３端４０の長さと同じに設定される。アダプタ１１４の表面は、平らであって、アクリル樹脂など耐候性を有する樹脂層１２６で覆われる。
【０１０９】
第１アダプタ連結部１１８は、第１アダプタ端１２２に形成され、第２パネル連結部に接続される。つまり、第１アダプタ連結部１１８は、第２連結部２０および第４連結部４２と同様に、アダプタ平面部１１６に平行で水平方向に延びる突起状で形成され、第１連結部１８および第３連結部４６に水平方向に嵌められて、アダプタ１１４は支保用パネル１０および非支保用パネル１２に連結される。
【０１１０】
また、第１アダプタ連結部１１８の先に、軟質塩化ビニル樹脂などの止水材１１９が設けられており、第１アダプタ連結部１１８を他の連結部に嵌めると、これらが連結されると共に、止水材１１９がこれらの連結部の間を止水する。
【０１１１】
第２アダプタ連結部１２０は、第２アダプタ端１２４に形成され、第１パネル連結部に接続される。つまり、第２アダプタ連結部１２０は、第１連結部１８および第３連結部４６と同様のコの字状の断面形状で形成され、第２連結部２０および第４連結部４２を受けて、アダプタ１１４に支保用パネル１０および非支保用パネル１２が連結される。
【０１１２】
また、図２６および図２７に示すように、第１アダプタ連結部１１８と第２アダプタ連結部１２０とは互いに接続可能に形成され、第１アダプタ連結部１１８に第２アダプタ連結部１２０を嵌めて、複数のアダプタ１１４を連結することができる。これにより、連結するアダプタ１１４の数を調整することにより、アダプタ１１４の連結体の第１アダプタ端１２２と第２アダプタ端１２４との傾斜角度を変化させることができる。
【０１１３】
よって、このようなアダプタ１１４を用いた、支保用パネル１０および非支保用パネル１２による既設構造物の面を更生方法において、図２６に示すように、複数のアダプタ１１４の連結体の第２アダプタ連結部１２０を第３連結部４６に嵌めれば、アダプタ１１４の連結体を非支保用パネル１２に装着することができる。また、図２７に示すように、複数のアダプタ１１４の連結体の第２アダプタ連結部１２０を第１連結部１８に嵌めれば、アダプタ１１４の連結体を支保用パネル１０に装着することができる。これにより、アダプタ１１４で支保用パネル１０および非支保用パネル１２が傾斜して連結されるため、既設構造物の面の形状に合わせて湾曲した部分などをパネルで覆うことができる。
【０１１４】
そして、第１アダプタ端１２２と第２アダプタ端１２４とが互いに一定の角度で傾斜するようにアダプタ１１４を形成しても、複数のアダプタ１１４を連結し、そのアダプタ１１４の数を調整することにより、その連結体の傾斜角度を所望の角度にすることができる。
【０１１５】
図２８に示すこの発明のさらに別の実施例である既設構造物の面の更生方法に用いられるアダプタ１１４は、図２４に示すアダプタ１１４とほぼ同じであるため、共通する部分については同じ番号を付して、その説明は省略する。
【０１１６】
図２８および図２９に示すように、第１アダプタ連結部１２８は、断面がＵ字状の凹部分１３０に板状の嵌め込み部分１３２を嵌めて形成される。突出した嵌め込み部分１３２は、嵌め込み部分１３２は凹部分１３０から突出し、水平方向に延びて、第１連結部１８および第３連結部４６に水平方向に嵌められる。この嵌め込み部分１３２の突出した長さは、一定に設けられる。また、嵌められている側の嵌め込み部分１３２の端にシーリング材１３３が塗布されており、シーリング材１３３は嵌め込み部分１３２と凹部分１３０との間を止水する。
【０１１７】
嵌め込み部分１３２は、たとえば、矩形状に形成したアダプタ１１４において第１アダプタ端１２２が第２アダプタ端１２４に対して傾斜するように、第１アダプタ端１２２側のアダプタ１１４の端部を切断し、その切断された台形状のアダプタ平面部１１６が用いられる。
【０１１８】
第２アダプタ連結部１３４は、第１連結部１８および第３連結部４６と同様のコの字状の断面形状で形成され、第２連結部２０および第４連結部４２を受けて、アダプタ１１４に支保用パネル１０および非支保用パネル１２が連結される。
【０１１９】
また、アダプタ平面部１１６の裏面にアダプタ係止部１３６が設けられる。アダプタ係止部１３６は、アダプタ１１４と支保用パネル１０または非支保用パネル１２とを接続した際にこれらを固定するために、第２係合部６２および／または第４係合部７８と係合する部分であり、第１係合部３６および第３係合部６４と同様の形状で形成される。
【０１２０】
このようなアダプタ１１４を既設構造物の面を更生方法に用いて、支保用パネル１０または非支保用パネル１２にアダプタ１１４を連結すると、第２アダプタ連結部１３４が第２連結部２０または第４連結部４２を受けて、アダプタ１１４が支保用パネル１０または非支保用パネル１２に接続されるだけでなく、アダプタ係止部１３６が第２係合部６２または第４係合部７８と係合し、アダプタ１１４と支保用パネル１０または非支保用パネル１２との接続が強固に固定される。
【０１２１】
なお、上で挙げた角度や寸法の具体的数値はいずれも単なる一例であり、必要に応じて適宜変更可能である。
【０１２２】
また、上記全ての実施例では、第２連結部２０および第４連結部４２を水平方向に延びるように形成し、これらを第１連結部１８および第３連結部４６に水平方向に嵌めて、支保用パネル１０および非支保用パネル１２、１１２を連結するようにしたが、これらの連結部は、連結された支保用パネル１０および非支保用パネル１２、１１２が上下方向および／または横方向に動いて外れるのを防止するような形状であればよい。このため、これらの連結部を鉛直方向に嵌めて、隣接する支保用パネル１０および非支保用パネル１２、１１２を連結するようにすることもできる。
【０１２３】
また、上記全ての実施例では、第１窪み部２２、第２窪み部２４および第３窪み部６０を支保用パネル１０および非支保用パネル１２、１１２の全長に亘る連続物で形成したが、複数の窪み部を間隔を隔てながら支保用パネル１０および非支保用パネル１２、１１２の全長に亘って形成することもできる。
【０１２４】
そして、上記全ての実施例では、空隙充填部７０、１０８をキャップ１４の本体と一体的に形成したが、空隙充填部７０、１０８とキャップ１４の本体とを別々に形成することもできる。
【０１２５】
また、上記全ての実施例では、支保取付部５０およびパネル取付部６１として貫通孔を設けたが、これらの取付部５０、６１として、パネル固定具８２や支保工固定具９０などを通すことができない程度の小さな貫通孔、または孔の開いていない窪みや印などを設けることもできる。
【０１２６】
さらに、上記全ての実施例では、支保工固定具９０にパイプクランプなどが用い、支保工固定具９０に支保工９６を固定したが、支保工固定具としてパネル固定具８２の頭部に番線などを取り付けたものを用い、その番線などで支保工９６を固定することもできる。
【０１２７】
また、上記全ての実施例では、平面部１６、６４、キャップ１４およびアダプタ平面部１１６の表面をそれぞれ耐候性樹脂層３４、６６、１２６で覆ったが、この樹脂層１２６、６６、３４を設けなくてもよい。
【０１２８】
さらに、上記全ての実施例では、開水路８０の底面を覆うパネル１０、１２、１１２と開水路８０の側面を覆うパネル１０、１２、１１２との間にハンチ部材９４を取り付けたが、開水路８０など既設構造物の形状によっては、ハンチ部材９４を取り付けなくてもよい。そして、このハンチ部材９４においてその端面の角度を４５度に傾斜させたが、これに限定されず、端面を傾斜させなくてもよい。
【０１２９】
また、上記全ての実施例では、支保用パネル１０および非支保用パネル１２、１１２を開水路８０に固定したが、非支保用パネル１２、１１２を開水路８０に固定せずに、支保用パネル１０だけを開水路８０に固定することもできる。この場合、開水路８０に支保工固定具９０で固定された支保用パネル１０に非支保用パネル１２、１１２を連結することにより、非支保用パネル１２、１１２は開水路８０の内面に間隔を隔てて配置される。
【０１３０】
さらに、パネル固定具８２および支保工固定具９０の取り付ける位置および個数は、裏込め材９８の充填などによりパネル１０、１２、１１２が浮き上がらないように設定される。
【０１３１】
そして、２つの非支保用パネル１２、１１２を連結した連結体の両端のそれぞれに支保用パネル１０を連結したが、１つの非支保用パネル１２、１１２のそれぞれに支保用パネル１０を連結することもできるし、また、３つ以上の非支保用パネル１２、１１２を連結した連結体の両端のそれぞれに支保用パネル１０を連結することもできる。
【０１３２】
さらに、上記全ての実施例では、止水材として２つのリップ４８を互いに向かい合うように取り付けたが、止水材を１つのリップで中空に形成することもできる。そして、この止水材としてリップの代わりにエラストマなどを用いることもできる。また、止水材を連結部２０、４２およびパネル接合部５４に設けたが、連結部１８、４６およびキャップ接合部６８に設けることもできる。
【０１３３】
また、上記全ての実施例では、キャップ１４を第１窪み部２２に嵌めて、キャップ１４で第１窪み部２２を覆ったが、第１窪み部２２を覆うものであれば、キャップ１４に限定されず、充填材などを用いることもできる。
【０１３４】
さらに、上記全ての実施例では、第１窪み部２２の支保取付部５０に支保工固定具９０を取り付けたが、この支保取付部５０にパネル固定具８２を取り付けることもできる。また、第２窪み部２４にパネル取付部６１を設けて、このパネル取付部６１にパネル固定具８２を取り付けることもできる。
【図面の簡単な説明】
【０１３５】
【図１】この発明の一実施例の既設構造物の面の更生方法に用いられる支保用パネルにキャップを取り付けた状態を示す断面図である。
【図２】図１の支保用パネルを示す断面図である。
【図３】図２の支保用パネルの第２面側を示す平面図である。
【図４】図１のキャップを示す断面図である。
【図５】図４のキャップの裏面側を示す平面図である。
【図６】非支保用パネルを示す斜視図である。
【図７】図６の非支保用パネルを示す断面図である。
【図８】支保用パネルおよび非支保用パネルを開水路の底面に固定した状態を示す斜視図である。
【図９】非支保用パネルどうしを連結し、開水路に固定して状態を示す断面図である。
【図１０】スペーサを示す斜視図である。
【図１１】２つの非支保用パネルを連結した連結体を支保用パネルで挟んで、この連結体に支保用パネルを連結し、支保工固定具で開水路に固定した状態を示す図解図である。
【図１２】支保用パネルを非支保用パネルに連結し、支保用パネルを支保工固定具で開水路に固定した状態を示す断面図である。
【図１３】支保用パネルを支保工固定具で開水路に固定した状態を示す断面図である。
【図１４】開水路の内面を支保用パネルおよび非支保用パネルで覆い、これらの間に裏込め材を充填した状態を示す断面図である。
【図１５】２つの支保用パネルに支保工を渡し、支保工を支保工固定具に取り付けた状態を示す図解図である。
【図１６】支保工固定具および支保工を取り外した状態を示す断面図である。
【図１７】第１窪み部をキャップで覆い、支保用パネルと開水路との間に裏込め材を充填した状態を示す断面図である。
【図１８】この発明の別の実施例の既設構造物の面の更生方法に用いられる支保用パネルにキャップを取り付けた状態を示す断面図である。
【図１９】図１の支保用パネルを示す断面図である。
【図２０】図１のキャップを示す断面図である。
【図２１】この発明のさらに別の実施例の既設構造物の面の更生方法に用いられる支保用パネルにキャップを取り付けた状態を示す断面図である。
【図２２】この発明のさらに別の実施例の既設構造物の面の更生方法に用いられる非支保用パネルを示す平面図である。
【図２３】図２２の非支保用パネルに支保用パネルを連結し、これらのパネルを開水路に固定した状態を示す平面図である。
【図２４】この発明のさらに別の実施例の既設構造物の面の更生方法に用いられるアダプタを示す断面図である。
【図２５】図２４のアダプタを示す平面図である。
【図２６】複数のアダプタを連結した連結体を非支保用パネルに連結した状態を示す断面図である。
【図２７】複数のアダプタを連結した連結体を支保用パネルに連結した状態を示す断面図である。
【図２８】この発明のさらに別の実施例の既設構造物の面の更生方法に用いられるアダプタを示す断面図である。
【図２９】図２８のアダプタを示す平面図である。
【符号の説明】
【０１３６】
１０…支保用パネル
１２、１１２…非支保用パネル
１４…キャップ
１６…第１平面部
１８…第１連結部
２０…第２連結部
２２…第１窪み部
２６…第１端
２８…第２端
４０…第３端
４２…第４連結部
４４…第４端
４６…第３連結部
５０…支保取付部
５２、１０２、１０７ｂ…パネル係止部
５６、１０２ａ、１０７ｂｂ…鉤部
７２…第２平面部
８０…開水路
９０…支保工固定具
９６…支保工
９８…裏込め材
１１４…アダプタ
１１６…アダプタ平面部
１１８、１２８…第１アダプタ連結部
１２０、１３４…第２アダプタ連結部
１２２…第１アダプタ端
１２４…第２アダプタ端
【図１】
2008266880.tif 000003
【図２】
2008266880.tif 000004
【図３】
2008266880.tif 000005
【図４】
2008266880.tif 000006
【図５】
2008266880.tif 000007
【図６】
2008266880.tif 000008
【図７】
2008266880.tif 000009
【図８】
2008266880.tif 000010
【図９】
2008266880.tif 000011
【図１０】
2008266880.tif 000012
【図１１】
2008266880.tif 000013
【図１２】
2008266880.tif 000014
【図１３】
2008266880.tif 000015
【図１４】
2008266880.tif 000016
【図１５】
2008266880.tif 000017
【図１６】
2008266880.tif 000018
【図１７】
2008266880.tif 000019
【図１８】
2008266880.tif 000020
【図１９】
2008266880.tif 000021
【図２０】
2008266880.tif 000022
【図２１】
2008266880.tif 000023
【図２２】
2008266880.tif 000024
【図２３】
2008266880.tif 000025
【図２４】
2008266880.tif 000026
【図２５】
2008266880.tif 000027
【図２６】
2008266880.tif 000028
【図２７】
2008266880.tif 000029
【図２８】
2008266880.tif 000030
【図２９】
2008266880.tif 000031